(57)【特許請求の範囲】
【請求項１】
走行機体の後部に昇降操作自在な苗植付け装置を備え、この苗植付け装置の苗のせ台の下部における左右方向での横送り移動を案内する摺動板を備えるとともに、前記摺動板の左右方向での端部よりも外側に位置して、その摺動板に他物が衝突することを回避させるように保護するための摺動板ガードを備えた田植機であって、
前記苗植付け装置には、この苗植付装置に対して前記摺動板よりも前方側で前記摺動板ガードを支持する固定保持部を備え、
前記摺動板ガードは、前記摺動板の長手方向に沿う横杆部分と、その横杆部分に対して交差する方向に向けられた縦杆部分とを備え、前記横杆部分を前記固定保持部に対して前記摺動板の長手方向に沿って左右方向で位置変更可能に構成してあるとともに、前記縦杆部分を前記横杆部分の軸心回りで向き変更可能に構成してあり、
前記固定保持部には、前記摺動板ガードを連結固定するための固定側連結孔が形成され、前記摺動板ガードには、前記固定側連結孔に対応する可動側連結孔が、前記横杆部分の左右方向で離れた複数箇所に形成されていて、前記固定側連結孔と前記可動側連結孔のうちのいずれか一方とを対応させた状態での連結ピンの係脱により、前記固定保持部に対する前記摺動板ガードの取付姿勢を、前記摺動板ガードの縦杆部分が前記摺動板の横外側端部よりも左右方向での外方側位置で後方側に向けられたガード姿勢と、前記摺動板ガードの縦杆部分が前記ガード姿勢位置よりも左右方向での内方側位置で下方側に向けられたスタンド姿勢とに切換可能に構成してあり、
前記摺動板ガードに対して所定以上の外力が作用したときに、予め設定された特定位置で変形又は破断するように構成した脆弱部を、前記摺動板ガードの前記横杆部分における左右方向で外側箇所に形成された前記可動側連結孔と内側箇所に形成された前記可動側連結孔との間に設けてあることを特徴とする田植機。
【請求項２】
前記脆弱部は、前記苗植付け装置に備えられた固定保持部に対して連結される前記摺動板ガードの基端側の一部における断面積が、その摺動板ガードの遊端側の部位における断面積よりも小さくなるように形成された部位によって構成されている請求項１記載の田植機。
【請求項３】
前記脆弱部は、前記摺動板ガードの基端側が左右方向に延出する部位に設けてあり、前記左右方向に垂直な断面における前記脆弱部の断面二次モーメントが、特定方向において最小となるように構成してある請求項１又は２記載の田植機。
【請求項４】
前記摺動板ガードには、前記苗植付け装置による苗の植え始め位置の指標となる条合わせマーク部を設けてある請求項１〜３の何れか一項記載の田植機。
【発明の詳細な説明】
【技術分野】
【０００１】
本発明は、走行機体の後部に昇降操作自在な苗植付け装置を備え、この苗植付け装置の苗のせ台の下部における左右方向での横送り移動を案内する摺動板を備えるとともに、その摺動板に他物が衝突することを回避させるように保護するための摺動板ガードを備えた田植機に関する。
【背景技術】
【０００２】
上記のように、摺動板に他物が衝突することを回避させるように保護するための摺動板ガードを備えた田植機としては、従来より下記［１］に記載のものが知られている。
［１］  苗植付け装置が備える左右方向に長いフロート支持軸の両端部を固定保持部として、その固定保持部に対して摺動板ガードの基端側を左右方向の横軸心回りで回動可能に連結し、かつ、その摺動板ガードの遊端側が、水平方向に沿う姿勢で摺動板の端部の外側に位置して摺動板を保護するガード姿勢と、遊端側が下方に向くスタンド姿勢とに姿勢切換可能に構成したもの（たとえば特許文献１参照）。
【先行技術文献】
【特許文献】
【０００３】
【特許文献１】特開２００２−８４８３９号公報（段落番号「００４２」、図２乃至図５、及び図２１，２２）
【発明の開示】
【発明が解決しようとする課題】
【０００４】
特許文献１に示された構造のものでは、摺動板の端部の外側に位置して摺動板を保護する摺動板ガードを備えることによって、摺動板が他物と接触して損傷する可能性を低減できる点で有用なものである。しかしながら、苗植付け装置は、昇降操作機構を介して走行機体の後部に昇降可能に連結されているものであるため、例えば走行機体が畦際で旋回する場合などに、苗植付け装置の摺動板ガードが他物に接当すると、摺動板自体は頑強な摺動板ガードで保護されていても、苗植付け装置を昇降可能に支持する昇降操作機構の部位に大きな曲げモーメントが作用して、昇降操作機構が損傷してしまう虞がある。
【０００５】
本発明の目的は、摺動板ガードを備えて摺動板に対する他物の接触や引っ掛かりなどを回避するための保護機能を有しながら、その摺動板ガードに特に大きな外力が作用した場合には、摺動板の保護機能に優先して苗植付け装置の昇降操作機構が損傷することを回避できるようにすることを目的とする。
【課題を解決するための手段】
【０００６】
上記目的を達成するために本発明による田植機では、下記の技術手段を講じたものである。
〔解決手段１〕
本発明は、走行機体の後部に昇降操作自在な苗植付け装置を備え、この苗植付け装置の苗のせ台の下部における左右方向での横送り移動を案内する摺動板を備えるとともに、前記摺動板の左右方向での端部よりも外側に位置して、その摺動板に他物が衝突することを回避させるように保護するための摺動板ガードを備えた田植機であって、
前記苗植付け装置には、この苗植付装置に対して前記摺動板よりも前方側で前記摺動板ガードを支持する固定保持部を備え、
前記摺動板ガードは、前記摺動板の長手方向に沿う横杆部分と、その横杆部分に対して交差する方向に向けられた縦杆部分とを備え、前記横杆部分を前記固定保持部に対して前記摺動板の長手方向に沿って左右方向で位置変更可能に構成してあるとともに、前記縦杆部分を前記横杆部分の軸心回りで向き変更可能に構成してあり、
前記固定保持部には、前記摺動板ガードを連結固定するための固定側連結孔が形成され、前記摺動板ガードには、前記固定側連結孔に対応する可動側連結孔が、前記横杆部分の左右方向で離れた複数箇所に形成されていて、前記固定側連結孔と前記可動側連結孔のうちのいずれか一方とを対応させた状態での連結ピンの係脱により、前記固定保持部に対する前記摺動板ガードの取付姿勢を、前記摺動板ガードの縦杆部分が前記摺動板の横外側端部よりも左右方向での外方側位置で後方側に向けられたガード姿勢と、前記摺動板ガードの縦杆部分が前記ガード姿勢位置よりも左右方向での内方側位置で下方側に向けられたスタンド姿勢とに切換可能に構成してあり、
前記摺動板ガードに対して所定以上の外力が作用したときに、予め設定された特定位置で変形又は破断するように構成した脆弱部を、前記摺動板ガードの前記横杆部分における左右方向で外側箇所に形成された前記可動側連結孔と内側箇所に形成された前記可動側連結孔との間に設けてあることを特徴とする。
【０００７】
〔解決手段１にかかる発明の作用及び効果〕
上記の解決手段によれば、摺動板ガードに、予め設定された特定位置で変形又は破断するように構成した脆弱部を備えさせたものであるから、苗植付け装置を用いての通常の作業状態では摺動板ガードによる摺動板の保護機能を果たしながら、機体旋回中に苗植え付け装置が畦や立木などの障害物に接当して摺動板ガードに所定以上の外力が作用したときには、前記脆弱部が変形又は破断することになる。
このように脆弱部が変形又は破断することによって、摺動板ガードに所定以上の外力が作用しても、その外力が緩衝されて苗植付け装置側に伝わるので、前記所定以上の外力が直接的に苗植付け装置に作用する場合に比べて、苗植付け装置を支持する昇降操作機構が損傷するような事態を招くことを回避し易くなる利点がある。
【０００８】
〔解決手段２〕
解決手段２にかかる発明では、前記脆弱部は、前記苗植付け装置に備えられた固定保持部に対して連結される前記摺動板ガードの基端側の一部における断面積が、その摺動板ガードの遊端側の部位における断面積よりも小さくなるように形成された部位によって構成されていることを特徴とする。
【０００９】
〔解決手段２にかかる発明の作用及び効果〕
上記の解決手段によれば、摺動板ガードの基端側の一部における断面積を、遊端側の部位における断面積よりも小さくなるように形成するだけの簡単な構造によって脆弱部を構成することができる。したがって、脆弱部を構成するための製作加工の煩雑さや構造の複雑化を招くことなく低コストで脆弱部を構成し得る利点がある。
【００１０】
〔解決手段３〕
解決手段３にかかる発明では、前記脆弱部は、前記摺動板ガードの基端側が左右方向に延出する部位に設けてあり、前記左右方向に垂直な断面における前記脆弱部の断面二次モーメントが、特定方向において最小となるように構成してあることを特徴とする。
【００１１】
〔解決手段３にかかる発明の作用及び効果〕
上記の解決手段によれば、所定以上の外力が作用したときにおける摺動板ガードの変形方向を断面二次モーメントが小さい特定方向へ向け易くなる。したがって、その外力によって変形した摺動板ガードが苗植付け装置の摺動板などに接当して苗受付装置を損傷するというような事態が発生する可能性を少なくした状態で変形させ易いという利点がある。
【００１２】
【００１３】
【００１４】
【００１５】
【００１６】
〔解決手段４〕
解決手段４にかかる発明では、前記摺動板ガードには、前記苗植付け装置による苗の植え始め位置の指標となる条合わせマーク部を設けてあることに特徴がある。
【００１７】
〔解決手段４にかかる発明の作用及び効果〕
上記の解決手段によれば、摺動板ガードを苗植付け装置による苗の植え始め位置の指標となる条合わせマーク部に兼用することができ、部品の兼用化による構造の簡素化を図り得る利点がある。
【図面の簡単な説明】
【００１８】
【図１】乗用型田植機を示す全体側面図である。
【図２】乗用型田植機を示す全体平面図である。
【図３】苗植付け装置及び施肥装置を示す側面図である。
【図４】摺動板ガード部分を示す斜視図である。
【図５】摺動板ガードを示し、（ａ）は正面図、（ｂ）は（ａ）におけるVb-Vb線矢視図である。
【図６】摺動板ガードに外力が作用した場合を説明する斜視図である。
【図７】摺動板ガードの使用例を示す平面視での説明図と拡大図である。
【図８】他の実施形態における摺動板ガードを示し、（ａ）は正面図、（ｂ）は（ａ）におけるVIIIb-VIIIb線矢視図である。
【図９】他の実施形態におけるマーカを示す説明図である。
【図１０】他の実施形態におけるマーカの使用形態を説明する説明図である。
【図１１】他の実施形態における隣接マーカを示し、（ａ）は斜視図、（ｂ）は断面図である。
【図１２】目印マーカの使用形態を説明する説明図である。
【図１３】薬剤散布装置の支持状態を示す背面図である。
【図１４】ユニバーサルジョイントを示す斜視図である。
【発明を実施するための形態】
【００１９】
以下、本発明の実施形態の一例を図面の記載に基づいて説明する。
〔田植機の全体構成〕
図１及び図２は、本発明を適用した田植機の一例である乗用型田植機を示している。
図１には乗用型田植機の全体側面が示されており、この田植機は、走行機体１の後部に、油圧シリンダ１９の作動で上下方向に揺動駆動されるリンク機構２を介して、４条植え用の苗植付け装置３を駆動昇降可能に連結してある。また、その苗植付け装置３の後方上部に、除草剤等の薬剤を散布する薬剤散布装置４が備えられている。
【００２０】
走行機体１は、車体フレーム１０の前部に搭載したエンジン６からの動力を、ベルトテンション式の主クラッチ（図示せず）、主変速装置として備えた静油圧式の無段変速装置（図示せず）、及び、副変速装置としてミッションケース９に内装したギヤ式の変速装置（図示せず）などを介して、左右一対の前輪１１及び後輪１２に伝達するように構成された４輪駆動型のものである。
【００２１】
前記車体フレーム１０の上側には、エンジン６などを上方から覆う前部カバー１３が設けてあり、その前部カバー１３の左右両外側に機体前方側から昇降可能な乗降用ステップ１６Ａを設けてある。そして、前記前部カバー１３の後方側に前記乗降用ステップ１６Ａに連なる状態で運転部ステップ１６Ｂを設けてある。
前記前部カバー１３の上方位置には、左右の前輪１１に対してステアリング操作系を介して連係されたステアリングホイール１４が配備され、そのステアリングホイール１４を把持する運転者が搭座するための運転座席１５が、前記運転部ステップ１６Ｂの後部側に配備されている。
【００２２】
前記乗降用ステップ１６Ａの横外側には予備苗を搭載するための予備苗台２０を設けてある。この予備苗台２０には、車体フレーム１０に固定された支柱２１の上部に上下二段の苗載置部２２が備えられ、乗用型田植機の前方側の畦から苗載置部２２へ予備苗を供給可能で、かつ、運転座席１５に搭座する運転者が苗載置部２２の後方側から予備苗を後方側へ引き出して、機体後方側の苗植付け装置３の苗のせ台３６に対して苗補給することが可能であるように構成されている。
前記予備苗台２０の支柱２１には、横外側に向けて隣接マーカ２３の支持腕２３ａを取り付けてあり、支持腕２３ａを図２、及び図１１に示すように横外側に向けて延出した状態で、支持腕２３ａの先端に対して上下位置変更可能に支持された指示棒２３ｂによって、隣接苗の位置を目視で確認し易くしてある。
【００２３】
車体フレーム１０の前端側には、左右方向の横軸心ｘ回りで起伏揺動可能な操作アーム２４を設けてある。この操作アーム２４は、乗用型田植機を圃場から畦に脱出させる際などに、前記横軸心ｘ回りで前方側へ倒伏させた姿勢に切り換えて、後傾姿勢となる機体の前部側を押さえ込むことによって、機体前部の浮き上がりを避けられるようにするためのものであり、通常の苗植付け作業中には、図１及び図２に示すように起立した格納姿勢となるように付勢されている。
この操作アーム２４は、門形のアーム本体部分２４ａと、図１，２に示す起立姿勢で、その上端側の左右中央部から上方へ突出させたセンターマスコット２４ｂとから構成され、さらにセンターマスコット２４ｂの上端部に、前後方向にスライド操作可能に装着されたセンター指示棒２５を備えている。
このように操作アーム２４が起立した格納姿勢であれば、ステアリングホイール１４の直前方に起立したセンターマスコット２４ｂが存在し、かつ、センターマスコット２４ｂの上端に前後向きのセンター指示棒２５が存在しているので、運転座席１５に搭座してステアリングホイール１４を把持する運転者が、センターマスコット２４ｂやセンター指示棒２５を、直進走行の際の指針として目視し易くなる。
【００２４】
前記ミッションケース９から苗植付け装置３への動力伝達系に介装した伝動軸１７は、図１４に示すようなユニバーサルジョイント１８を介して屈折可能に連結されている。
すなわち、ミッションケース９に近い側の出力側伝動軸１７ａに対して、苗植付け装置３に近い側の入力側伝動軸１７ｂを屈折可能に連結するためのユニバーサルジョイント１８が、出力側伝動軸１７ａに一体に連設された腕部１８ａと、入力側伝動軸１７ｂに一体に形成された腕部１８ｂとを、Ｌ字状の連結体１８ｃで連結して構成されている。
そして、前記連結体１８ｃと前記各腕部１８ａ，１８ｂとを相対回動自在に連結することで、前記出力側伝動軸１７ａの軸芯線ｐ１と入力側伝動軸１７ｂの軸芯線ｐ２とが相対姿勢を変化させるように角度変化しても、支承なく動力伝達を行えるように構成してある。
【００２５】
〔苗植付け装置〕
図１〜３に示すように、前記苗植付け装置３は、１個のフィードケース３０に連結された機体左右方向に延びる支持フレーム３１に、後部側の植付け爪３４に対する駆動力伝達機構（図示せず）を内装するための２個の植付け伝動ケース３２が後向きに片持ち状に連結されている。植付け伝動ケース３２の後部の左右両側部には、爪駆動アーム３３が回転自在に支持され、爪駆動アーム３３に植付け爪３４が備えられており、苗植付け装置３の下部には接地フロート３５が支持されている。
又、苗植付け装置３には、苗のせ台３６が下端側を摺動板３７に案内されて左右に一定ストロークで往復横送り駆動自在に備えられており、苗のせ台３６がストロークエンドに達する毎に、載置された苗を所定量だけ下方に送るベルト式の縦送り装置３８が苗のせ台３６に備えられている。
【００２６】
そして、フィードケース３０に伝達される動力が植付け伝動ケース３２に伝達されて、爪駆動アーム３３が駆動される一方、フィードケース３０に伝達される動力により苗のせ台３６が往復横送り駆動されて、苗のせ台３６の下部から上下に揺動運動する爪駆動アーム３３が、その先端部に備えられた植付け爪３４により１株ずつ苗を取り出して田面に植え付けるのであり、苗のせ台３６が往復横送りのストロークエンドに達すると、フィードケース３０に伝達される動力により縦送り装置３８が駆動されて、苗のせ台３６に載置された苗が下方に送られる構成となっている。
【００２７】
接地フロート３５は、二枚の樹脂板の間に圧縮空気を吹き込むブロー成形によって一体形成されたものであり、左右一対のサイドフロート３５ｂと、その中間に位置するセンターフロート３５ａとで構成され、中央のセンターフロート３５ａが植付制御に使用されるセンサフロートとしての機能を有している。左右のサイドフロート３５ｂは、それぞれ左右の前輪１１及び後輪１２の後方側に位置するように設けられていて、前輪１１及び後輪１２の通過跡を均すように、前輪１１及び後輪１２のラグ幅よりも幅広に形成されている。
【００２８】
〔薬剤散布装置〕
前記苗植付け装置３の後部側には、散布装置支持フレーム４３を介して薬剤散布装置４が支持されている。
この薬剤散布装置４は、図１乃至図３、及び図１３に示されるように、薬剤を貯留する貯留タンク４０、貯留タンク４０内の薬剤を所定量づつ繰り出し供給する繰出し装置４１、及び繰り出された薬剤を駆動回転される回転羽根で水平方向に飛散させて散布する飛散装置４２を備え、これらが一体化されている。
この薬剤散布装置４は散布装置支持フレーム４３を介して苗植付け装置３の左右の植付け伝動ケース３２に支持されている。前記散布装置支持フレーム４３には、苗植付け装置３の植付け爪３４の上方側を覆うように合成樹脂製の泥除けカバー４７を取り付けてあり、植付け爪３４によって跳ね上げられる泥が上方の薬剤散布装置４に対して飛散することを回避できるようにしてある。
【００２９】
前記散布装置支持フレーム４３は、図２及び図１３に示されるように、左右の植付け伝動ケース３２同士を連結するように、左右の各植付け伝動ケース３２に下端側を連結された背面視門形の横向きフレーム４４と、その横向きフレーム４４の左右方向での中間位置から上方へ向けて立設されたパイプ材からなる棒状の縦向きフレーム４５とを備えて構成されている。
前記泥除けカバー４７は、前記横向きフレーム４４の左右両端側から後方へ向けて延出された左右一対の支持杆４６によって支持されている。
前記縦向きフレーム４５は横向きフレーム４４に対して着脱可能に構成してあり、横向きフレーム４４も左右の植付け伝動ケース３２に対して着脱可能に構成されている。
【００３０】
〔摺動板ガード〕
図３乃至図５に示すように、前記苗植付け装置３の摺動板３７の前方側に位置する支持フレーム３１の端部側箇所に、前記摺動板３７の左右方向での端部よりも外側に位置して、その摺動板３７に他物が衝突することを回避させるように保護するための摺動板ガード５を設けてある。
この摺動板ガード５は、図５に示すように、Ｌ字状に屈曲形成された金属製パイプで構成してある。そして、前記支持フレーム３１の端部側箇所で、支持フレーム３１の下面側にチャンネル状の取付部材を溶接して構成した固定保持部５０に対して、基端側を差し込んで、かつ、その固定保持部５０に形成した連結孔５１（固定側連結孔に相当する）と、摺動板ガード５に設けてある連結孔５２（可動側連結孔に相当する）とを合致させた状態で貫通する連結ピン５３によって連結固定されるように構成してあり、連結ピン５３を抜くことによって取り外し可能に構成してある。
【００３１】
この摺動板ガード５には、摺動板３７の長手方向に沿う横杆部分５Ａと、その横杆部分５Ａに対して交差する方向に向けられた縦杆部分５Ｂとが備えられている。そして摺動板ガード５には、固定保持部５０に形成した連結孔５１に対応する連結孔５２の他に、スタンド用連結孔５４（可動側連結孔に相当する）と、脆弱部５５を構成する貫通孔５５ａとを穿設してある。
スタンド用連結孔５４は、この摺動板ガード５を、図３に仮想線で示すように、及び図４（ｂ）に示すように、摺動板ガード５の遊端側が下向きとなるスタンド姿勢で固定保持部５０に固定する際に、前記連結ピン５３を挿通するためのものであり、前記摺動板ガード５の連結孔５２に対して９０度位相が異なる方向に向けてある。
したがって、前記連結孔５２に連結ピン５３が挿通された取付状態では、摺動板ガード５の遊端側が水平方向に向いて摺動板３７の左右方向での端部よりも外側に位置して、摺動板３７が他物と接触することを回避させるための摺動板ガード５としての機能を果たすように構成され、前記スタンド用連結孔５４に連結ピン５３が挿通された取付状態では、摺動板ガード５をスタンドとして利用することができるように構成してある。
【００３２】
前記脆弱部５５を構成する貫通孔５５ａは、前記連結孔５２と平行な方向に向けて穿設してあり、かつ、その連結孔５２、及び前記スタンド用連結孔５４よりも径の大きい孔に形成されている。
したがって、摺動板ガード５が、その遊端側を水平方向に向けた摺動板ガード５としての役割を果たすガード姿勢で、この摺動板ガード５に他物が接触したとき、その接触に伴って摺動板ガード５に作用する外力が、予め設定した所定の大きさ未満であれば、摺動板３７に対して他物が衝突することを回避させるように保護する機能を発揮する。
しかし、摺動板ガード５に他物が接触したとき、その接触に伴って摺動板ガード５に作用する外力が、予め設定した所定の大きさ以上であれば、図６に仮想線で示すように、脆弱部５５の存在箇所から下方側へ屈曲するように変形する、もしくは、脆弱部５５の存在箇所から後方側へ屈曲する、あるいは、図示はされていないが上方側へ向けて屈曲する、もしくは前方側へ向けて屈曲変形する可能性もある。
【００３３】
上記のように摺動板ガード５が脆弱部５５の存在箇所から屈曲変形する際の基準となる所定の外力とは、摺動板ガード５が変形しない状態で、その外力の作用によって苗植付け装置３が左右揺動されたとき、その苗植付け装置３を支持するリンク機構２が変形するなどの損傷を受ける可能性があると予測される程度の大きさの外力である。
したがって、摺動板ガード５に他物が接触したとき、その接触に伴って摺動板ガード５に作用する外力が、予め設定した所定の大きさ以上であれば、摺動板ガード５自体が変形することで、この摺動板ガード５の変形に要したエネルギー分だけ外力が弱められることになる。このように脆弱部５５を備えた摺動板ガード５が緩衝機構としての役割をも果たすことになり、苗植付け装置３を支持するリンク機構２が変形してしまう虞を極力回避させ易くなるという利点がある。
【００３４】
前記摺動板ガード５の遊端部近くには、図３乃至図５に示すように、条合わせマーク部５６が形成されている。この条合わせマーク部５６は、図３及び図７に示すように、摺動板ガード５のガード姿勢で、側面視で植付け爪３４による苗植付け箇所の直上に位置し、平面視で植え付け開始位置の既植苗と一致する前後方向位置に存在するように設けられたものである。
したがって、図１に示すように、乗用型田植機の運転座席１５に搭座する運転者が、畦際までの苗植付け作業を行ったのち、機体進行方向を反転させて既植苗に隣接する箇所で苗植付け作業を再開する際に、後方を振り返って摺動板ガード５の条合わせマーク部５６が既植苗の植え付け開始位置と合致するように機体の位置を定め、この箇所から苗植付け作業を開始することによって、苗植付け開始箇所が整然と揃った状態に苗植え付けを行うことができる。
【００３５】
〔別実施形態の１〕
実施の形態では、摺動板ガード５に形成する脆弱部５５を、図４（ａ）及び図５に示すように、摺動板ガード５のガード姿勢で前後方向に貫通し、連結孔５２やスタンド用連結孔５４よりも径の大きい一つの大きな貫通孔５５ａによって構成したが、これに限らず、例えば、貫通孔５５ａの孔中心線が上下方向に向く貫通孔５５ａ、あるいは上下前後の中間に位置する斜め方向に向く貫通孔５５ａなど、任意の方向に向けた貫通孔５５ａによって構成してもよい。
また、貫通孔５５ａとして、連結孔５２やスタンド用連結孔５４よりも径の大きい一つの貫通孔５５ａであるに限らず、連結孔５２やスタンド用連結孔５４と同程度、あるいはそれよりも小さい複数の貫通孔５５ａによって脆弱部５５を構成し、脆弱部５５として構成される貫通孔５５ａを除く残りの断面積が、前記連結孔５２やスタンド用連結孔５４が存在する箇所の断面積よりも小さくなるように形成してもよい。さらに、脆弱部５５は貫通孔５５ａに限らず、摺動板ガード５を貫通しない一個、又は複数の孔によって形成されたものであってもよい。
この場合、貫通孔５５ａや貫通しない孔の位置や大きさ、あるいはその個数や深さなどによって、所定以上の外力が作用したときにおける摺動板ガード５の変形方向が異なってくるので、摺動板ガード５の遊端側が変形しても摺動板３７と接触しない下方側や上方側、あるいは、前方側へ向けて摺動板ガード５が変形するように、摺動板ガード５の径方向における特定方向での曲げに対する剛性が、その特定方向以外の方向での曲げに対する剛性よりも小さくなるように形成してもよい。
その他の構成は、前述した実施形態と同様の構成を採用すればよい。
【００３６】
〔別実施形態の２〕
脆弱部５５としては、摺動板ガード５に形成する貫通孔５５ａもしくはその他の孔に限らず、例えば図８に示すように、中実の棒状部材からなる摺動板ガード５の外周に外周溝５５ｂを形成して、この外周溝５５ｂの形成によって小径となった部分を脆弱部５５としてもよい。
また、図示はしないが、上述のような摺動板ガード５の全周に亘る外周溝５５ｂではなく、ガード姿勢にある摺動板ガード５の前部側と後部側の一部、もしくは、前部側か後部側の何れ一方側の周部に部分的な周溝や切り欠き部分を形成することによって脆弱部５５を形成してもよい。さらに、その部分的な周溝や切り欠き部分は、上記のようなガード姿勢にある摺動板ガード５の前部側と後部側の一部、もしくは、前部側か後部側の何れ一方側に限らず、例えば上部側や下部側など、適宜の方向を選択して設けることができる。
この場合、周溝や切り欠き部分を設ける箇所やその深さなどによって、その周溝や切り欠き部分を設けることによって形成される脆弱部５５の存在箇所での断面二次モーメントが、摺動板ガード５の径方向における特定の方向では小さく、他の方向では大きくなるように異なるように形成される。
したがって、所定以上の外力が作用したときにおける摺動板ガード５の変形し易い方向を、予め脆弱部５５における断面二次モーメントの大きさで設定することができるので、摺動板ガード５の遊端側が変形しても摺動板３７と接触しない下方側や上方側、あるいは、前方側へ向けて摺動板ガード５が変形するように、摺動板ガード５の径方向における特定方向での曲げに対する剛性が、その特定方向以外の方向での曲げに対する剛性よりも小さくなるように形成すればよい。
その他の構成は、前述した実施形態と同様の構成を採用すればよい。
【００３７】
〔別実施形態の３〕
実施の形態では、摺動板ガード５としてＬ字状に屈曲形成された形状のものを示したが、これに限らず、例えば、前後方向視でコの字状に屈曲形成されたものであってもよい。
【００３８】
その他の構成は、前述した実施形態と同様の構成を採用すればよい。
【００３９】
〔別実施形態の４〕
図９は、苗植付け装置３に装備するマーカ６０を、この乗用型田植機の植付け条数である４条分の植付け幅に相当する長さと、その倍の８条分に相当する長さとに長さ変更可能に構成したものを示している。
このマーカ６０は、棒状の基端部６０ａに対して筒状の遊端部６０ｂが外嵌する状態（図９で仮想線で示す状態）と、基端部６０ａに対して遊端部６０ｂが機体から離れる側へ延出された状態（図９で実線で示す状態）とに、伸縮切換可能に構成してある。このように構成されたマーカ６０は、変形田での苗植付け作業を行う際に便利に用いることができる。
つまり、変形田では、図１０（ａ）に示すように、まず畦に沿って機体を走行させなが
ら、畦から離れた側に目安となる線を引くように左側のマーカ６０を伸長させて作用状態とする。このとき、マーカ６０は機体を往復走行させることが可能であるように８条分の長さに相当する範囲を線引きするが、苗植付け作業は行われていない。
【００４０】
次に、図１０（ｂ）に示すように、マーカ６０で線引きされた範囲内で機体を直線的に往復走行させながら苗植付け作業を行う。この植付け作業の際には、マーカ６０を４条分の長さに相当する範囲を線引きする長さに戻して、機体の操向に伴ない次行程での走行の目安となる線引きを同時に行う。
次に、図１０（ｃ）では、苗植え付けが行われていなかった、変形田の外周側で、畦に沿って機体を走行させながら畦に近い側の４条分の苗植付け作業を行う。次に、図１０（ｄ）では、苗植え付けが行われていなかった、変形田の外周側で、畦に沿って機体を走行させながら畦から遠い側の４条分の苗植付け作業を行う。
その他の構成は、前述した実施形態と同様の構成を採用すればよい。
【００４１】
〔別実施形態の５〕
図１１は、乗用型田植機の前部側に設けられた隣接マーカ２３の構造を示す。
この構造では、予備苗台２０の支柱２１に隣接マーカ２３のパイプ状の支持腕２３ａを縦軸２６回りで揺動可能に支持させてあり、前記支柱２１には、前記支持腕２３ａを上下で挟み込む状態に支持する上下一対の支持ブラケット２７を一体に形成してある。
また、支持ブラケット２７には、前記支持腕２３ａに装備された係止突起２８ａを、複数位置（３箇所）で係止可能な係合孔２７ａが形成されている。
前記係止突起２８ａは、前記支持腕２３ａの内部に挿入されたバネ板材２８の端部に形成してあり、かつ、バネ板材２８は前記係止突起２８ａが形成された側とは反対側の端部に挿通された係止ピン２９によって支持腕２３ａの長さ方向での位置決めが行われている。
【００４２】
したがって、この構造では、前記支持腕２３ａの縦軸２６回りでの位置を変更する際に、位置決め操作のためにピンの抜き差しを行うような操作が必要ではなく、単に支持腕２３ａを把持して少し強く回動操作すると、前記バネ板材２８の付勢力に抗して係止突起２８ａが係合孔２７ａから外れるので、その係止突起２８ａを別の係合孔２７ａの位置に移行させることが簡単に行える。。
その他の構成は、前述した実施形態と同様の構成を採用すればよい。
【００４３】
〔別実施形態の６〕
図１２は、乗用型田植機の前端部に、機体前方側へ向けて延出可能な目印マーカ６１を付設した構造のものである。
この目印マーカ６１は、前記摺動板ガード５の条合わせマーク部５６が既植苗の植え付け開始位置と合致するように機体を位置させた状態で圃場端部と合致する位置に先端が位置するように、つまり、目印マーカ６１の先端と前記条合わせマーク部５６との間の距離Ｌが、この乗用型田植機による往復での植付け作業幅と一致する８条分の長さに設定されている。
その他の構成は、前述した実施形態と同様の構成を採用すればよい。
【産業上の利用可能性】
【００４４】
本願発明は、走行機体１の後方側に備えた苗植付け装置３を装備させたリヤマウントタイプの田植機に適用した例を示したが、これに限らず、苗植付け装置３を走行機体の前方側に装備させたフロントマウントタイプの田植機にも適用することができる。
【符号の説明】
【００４５】
１            走行機体
３            苗植付け装置
５            摺動板ガード
５Ａ          横杆部分
５Ｂ          縦杆部分
３６          苗のせ台
３７          摺動板
５０          固定保持部
５１          固定側連結孔
５２，５４    可動側連結孔
５３          連結ピン
５５          脆弱部
５６          条合わせマーク部
５８          付勢具
ｐ３          横軸心
【図１】
0005753002.tif 000002
【図２】
0005753002.tif 000003
【図３】
0005753002.tif 000004
【図４】
0005753002.tif 000005
【図５】
0005753002.tif 000006
【図６】
0005753002.tif 000007
【図７】
0005753002.tif 000008
【図８】
0005753002.tif 000009
【図９】
0005753002.tif 000010
【図１０】
0005753002.tif 000011
【図１１】
0005753002.tif 000012
【図１２】
0005753002.tif 000013
【図１３】
0005753002.tif 000014
【図１４】
0005753002.tif 000015